【手続補正書】
【提出日】令和3年8月26日(2021.8.26)
【手続補正１】
【補正対象書類名】特許請求の範囲
【補正対象項目名】全文
【補正方法】変更
【補正の内容】
【特許請求の範囲】
【請求項１】
UEにおけるワイヤレス通信のための方法であって、
アップリンク制御メッセージでの送信のために、情報ビットのセットを含むアップリンク制御情報を生成するステップと、
前記アップリンク制御メッセージの前記送信のために、アップリンク制御チャネル内のシンボルのセットを示すメッセージを基地局から受信するステップと、
前記シンボルのセットにおけるシンボルの数、および前記情報ビットのセットにおける情報ビットの数に少なくとも一部基づいて、前記アップリンク制御メッセージの前記送信のための前記シンボルのセット内の周波数ホッピング場所を決定するステップと、
前記周波数ホッピング場所に従って、前記シンボルのセットのうちの第1のシンボルのサブセットの間では前記アップリンク制御チャネルの第1の周波数帯域幅を介して、および前記シンボルのセットのうちの第2のシンボルのサブセットの間では前記アップリンク制御チャネルの第2の周波数帯域幅を介して、前記アップリンク制御情報を含む前記アップリンク制御メッセージを前記基地局に送信するステップと
を含む、方法。
【請求項２】
前記UEに前記数のシンボルを割り振るアップリンクグラントを受信するステップ
をさらに含む、請求項1に記載の方法。
【請求項３】
前記アップリンク制御チャネルを介して、送信のために周波数ホッピングを使用すべきであるという指示を受信するステップ
をさらに含む、請求項1に記載の方法。
【請求項４】
前記アップリンク制御チャネルのフォーマットに少なくとも一部基づいて、前記アップリンク制御メッセージにおける前記情報ビットの数を特定するステップ
をさらに含む、請求項1に記載の方法。
【請求項５】
基地局におけるワイヤレス通信のための方法であって、
ユーザ機器(UE)によるアップリンク制御メッセージの送信のために、アップリンク制御チャネル内のシンボルのセットにおけるシンボルの数を決定するステップと、
前記アップリンク制御メッセージでの送信のために、アップリンク制御情報の情報ビットのセットにおける情報ビットの数を決定するステップと、
前記シンボルのセットにおける前記シンボルの数、および前記情報ビットのセットにおける前記情報ビットの数に少なくとも一部基づいて、前記アップリンク制御メッセージの送信のために前記シンボルのセット内の周波数ホッピング場所を決定するステップと、
前記アップリンク制御チャネル内の前記シンボルのセットと前記周波数ホッピング場所とを示すメッセージを前記UEに送信するステップと、
前記周波数ホッピング場所に従って、前記シンボルのセットのうちの第1のシンボルのサブセットの間では前記アップリンク制御チャネルの第1の周波数帯域幅を介して、および前記シンボルのセットのうちの第2のシンボルのサブセットの間では前記アップリンク制御チャネルの第2の周波数帯域幅を介して、前記アップリンク制御情報を含む前記アップリンク制御メッセージを前記UEから受信するステップと
を含む、方法。
【請求項６】
前記情報ビットの数が閾値以下であると決定するステップをさらに備える、請求項1または5に記載の方法。
【請求項７】
前記シンボルの数を2で割ったものの床関数をとることによって、前記第1のシンボルのサブセットの時間長を決定するステップと、
前記第1のシンボルのサブセットの時間長を前記シンボルの数から引くことによって、前記第2のシンボルのサブセットの時間長を決定するステップと
をさらに含む、請求項6に記載の方法。
【請求項８】
前記周波数ホッピング場所が、前記アップリンク制御メッセージにおける情報シンボルと基準シンボルとの関係に少なくとも一部基づいて決定される、請求項6に記載の方法。
【請求項９】
前記シンボルの数を4で割ると整数値になることを決定するステップと、
前記整数値に2を乗じることによって前記第1のシンボルのサブセットの時間長を決定するステップと、
前記整数値に2を乗じることによって前記第2のシンボルのサブセットの時間長を決定するステップと
をさらに含む、請求項8に記載の方法。
【請求項１０】
前記シンボルの数を4で割ると整数値および余り1が得られることを決定するステップと、
前記整数値に2を乗じることによって前記第1のシンボルのサブセットの時間長を決定するステップと、
前記整数値に2を乗じて1を足すことによって前記第2のシンボルのサブセットの時間長を決定するステップと
をさらに含む、請求項8に記載の方法。
【請求項１１】
前記シンボルの数を4で割ると整数値および余り2が得られることを決定するステップと、
前記整数値に2を乗じることによって前記第1のシンボルのサブセットの時間長を決定するステップと、
前記整数値に2を乗じて2を足すことによって前記第2のシンボルのサブセットの時間長を決定するステップと
をさらに含む、請求項8に記載の方法。
【請求項１２】
前記シンボルの数を4で割ると整数値および余り3が得られることを決定するステップと、
前記整数値に2を乗じて1を足すことによって前記第1のシンボルのサブセットの時間長を決定するステップと、
前記整数値に2を乗じて2を足すことによって前記第2のシンボルのサブセットの時間長を決定するステップ
をさらに含む、請求項8に記載の方法。
【請求項１３】
前記アップリンク制御メッセージが、時間的に交互に現れる1つまたは複数の情報シンボルおよび1つまたは複数の基準シンボルを含む、請求項8に記載の方法。
【請求項１４】
前記第1のシンボルのサブセットの時間長および前記第2のシンボルのサブセットの時間長を決定するステップをさらに含み、前記第1のシンボルのサブセットおよび前記第2のシンボルのサブセットのうちの少なくとも1つが、等しい数の情報シンボルおよび基準シンボルを含み、前記第1のシンボルのサブセットの数と前記第2のシンボルのサブセットの数との差の絶対値が2以下である、請求項13に記載の方法。
【請求項１５】
前記情報ビットの数が閾値より大きいと決定するステップ
をさらに含む、請求項1または5に記載の方法。
【請求項１６】
前記シンボルの数を2で割ったものの床関数をとることによって、前記第1のシンボルのサブセットの時間長を決定するステップと、
前記第1のシンボルのサブセットの前記時間長を前記シンボルの数から引くことによって、前記第2のシンボルのサブセットの時間長を決定するステップと
をさらに含む、請求項15に記載の方法。
【請求項１７】
前記第1のシンボルのサブセットの時間長および前記第2のシンボルのサブセットの時間長を決定するステップをさらに含み、前記第1のシンボルのサブセットの数と前記第2のシンボルのサブセットの数との差の絶対値が1以下である、請求項15に記載の方法。
【請求項１８】
前記アップリンク制御メッセージが、時間的に交互に現れる1つまたは複数の情報シンボルおよび1つまたは複数の基準シンボルを含む、請求項1また5に記載の方法。
【請求項１９】
前記アップリンク制御チャネルのフォーマットを示すアップリンクグラントを送信するステップをさらに含み、前記アップリンク制御チャネルの前記フォーマットが、前記アップリンク制御メッセージの中の前記情報ビットの数と関連付けられる、請求項5に記載の方法。
【請求項２０】
前記アップリンク制御チャネルを介した送信のために、周波数ホッピングを使用すべきであるという指示を送信するステップをさらに含む、請求項5に記載の方法。
【請求項２１】
前記第1のシンボルのサブセットの時間長および前記第2のシンボルのサブセットの時間長が等しくない、請求項1または5に記載の方法。
【請求項２２】
ワイヤレス通信のための装置であって、
アップリンク制御メッセージでの送信のために、情報ビットのセットを含むアップリンク制御情報を生成するための手段と、
前記アップリンク制御メッセージの前記送信のために、アップリンク制御チャネル内のシンボルのセットを示すメッセージを基地局から受信するための手段と、
前記シンボルのセットにおけるシンボルの数、および前記情報ビットのセットにおける情報ビットの数に少なくとも一部基づいて、前記アップリンク制御メッセージの前記送信のための前記シンボルのセット内の周波数ホッピング場所を決定するための手段と、
前記周波数ホッピング場所に従って、前記シンボルのセットのうちの第1のシンボルのサブセットの間では前記アップリンク制御チャネルの第1の周波数帯域幅を介して、および前記シンボルのセットのうちの第2のシンボルのサブセットの間では前記アップリンク制御チャネルの第2の周波数帯域幅を介して、前記アップリンク制御情報を含む前記アップリンク制御メッセージを前記基地局に送信するための手段と
を含む、装置。
【請求項２３】
ワイヤレス通信のための装置であって、
ユーザ機器(UE)によるアップリンク制御メッセージの送信のために、アップリンク制御チャネル内のシンボルのセットにおけるシンボルの数を決定するための手段と、
前記アップリンク制御メッセージでの送信のためのアップリンク制御情報の情報ビットのセットにおける情報ビットの数を決定するための手段と、
前記シンボルのセットにおける前記シンボルの数、および前記情報ビットのセットにおける前記情報ビットの数に少なくとも一部基づいて、前記アップリンク制御メッセージの送信のために前記シンボルのセット内の周波数ホッピング場所を決定するための手段と、
前記アップリンク制御チャネル内の前記シンボルのセットと前記周波数ホッピング場所とを示すメッセージを前記UEに送信するための手段と、
前記周波数ホッピング場所に従って、前記シンボルのセットのうちの第1のシンボルのサブセットの間では前記アップリンク制御チャネルの第1の周波数帯域幅を介して、および前記シンボルのセットのうちの第2のシンボルのサブセットの間では前記アップリンク制御チャネルの第2の周波数帯域幅を介して、前記アップリンク制御情報を含む前記アップリンク制御メッセージを前記UEから受信するための手段と
を含む、装置。
【請求項２４】
ワイヤレス通信のための装置であって、
プロセッサと、
前記プロセッサと電子通信するメモリと、
前記メモリに記録された命令とを備え、前記命令は、前記プロセッサにより実行されたときに、請求項1から21のうちのいずれか一項に記載の方法を前記装置に実行させるように動作可能である、装置。
【請求項２５】
ワイヤレス通信のためのコードを記録するコンピュータ可読記録媒体であって、
前記コードは、請求項1から21のうちのいずれか一項に記載の方法を実行するためにプロセッサにより実行可能な命令を含む、コンピュータ可読記録媒体。